(57)【要約】【課題】小型化、集積化が可能な光学ヘッド、及びこれを用いたホログラム記録装置を提供する。【解決手段】反射型の記録媒体３に対してページデータの記録・再生を行う集積部２を有する光学ヘッド１であって、上記集積部２はページデータの各ビットデータに対応する記録再生部２ａを集積してなり、該記録再生部２ａは物体光Ｓ及び参照光Ｒを発光する発光部１０と、物体光Ｓを通過させ又は遮断する光スイッチ２１と、受光部４０とを有し、ホログラム形成の有無によりビットデータを記録し、記録位置に参照光Ｒを照射して上記受光部４０における参照光Ｒの受光の有無によりビットデータを再生し、上記各記録再生部２ａにおいてそれぞれ記録媒体３にビットデータの記録・再生を行うことにより、上記集積部２は記録媒体３にページデータの記録・再生を行う。【選択図】  図２
2005018879.tif 000002
【特許請求の範囲】
【請求項１】
反射型のホログラム記録媒体に対してページデータの記録・再生を行う集積部を有する光学ヘッドであって、
上記集積部はページデータを構成する各ビットデータに対応するそれぞれの記録再生部を集積してなり、該記録再生部はビットデータの記録・再生に使用する物体光及び参照光を発光する発光部と、物体光を通過させ又は遮断する光スイッチと、上記ホログラム記録媒体に形成されるホログラムを通過した参照光を受光する受光部とを有し、
上記光スイッチにおける物体光の通過・遮断の違いから生じるホログラム形成の有無によりビットデータを記録し、光スイッチにおいて物体光を遮断し記録位置に参照光を照射して上記受光部における参照光の受光の有無によりビットデータを再生し、
上記各記録再生部においてそれぞれホログラム記録媒体にビットデータの記録・再生を行うことにより、上記集積部はホログラム記録媒体にページデータの記録・再生を行うことを特徴とする光学ヘッド。
【請求項２】
上記発光部は光を発光する発光体と、該発光体から発せられた光を物体光と参照光に分岐する光分岐部とからなることを特徴とする請求項１記載の光学ヘッド。
【請求項３】
上記記録再生部は上記発光部とホログラム記録媒体の間に参照光を任意の角度で回折可能なアクティブ回折格子を有することを特徴とする請求項１又は２記載の光学ヘッド。
【請求項４】
上記光スイッチ及びアクティブ回折格子はそれぞれ物体光または参照光の出射面に物体光または参照光を所定の角度で回折させる回折部材を有することを特徴とする請求項３記載の光学ヘッド。
【請求項５】
反射型のホログラム記録媒体と、該ホログラム記録媒体に対してページデータの記録・再生を行う集積部を有する光学ヘッドとを閉鎖構造のケース内に収めたホログラム記録装置であって、
上記ケースは上記ホログラム記録媒体を保持して回転自在とする回転機構を備えると共に、上記光学ヘッドを保持して上記ホログラム記録媒体の表面と平行な一方向に移動自在とする移動機構を備え、
上記光学ヘッドの集積部はページデータを構成する各ビットデータに対応するそれぞれの記録再生部を集積してなり、該記録再生部はビットデータの記録・再生に使用する物体光及び参照光を発光する発光部と、物体光を通過させ又は遮断する光スイッチと、上記ホログラム記録媒体に形成されたホログラムを通過した参照光を受光する受光部とを有し、
上記光スイッチにおける物体光の通過・遮断の違いから生じるホログラム形成の有無によりビットデータを記録し、光スイッチにおいて物体光を遮断し記録位置に参照光を照射して上記受光部における参照光の受光の有無によりビットデータを再生し、
上記各記録再生部においてそれぞれホログラム記録媒体にビットデータの記録・再生を行うことにより、上記集積部はホログラム記録媒体にページデータの記録・再生を行うことを特徴とするホログラム記録装置。
【請求項６】
反射型のホログラム記録媒体を閉鎖構造のケース内に収めると共に、該ケース外面に上記ホログラム記録媒体に対してページデータの記録・再生を行う集積部を有する光学ヘッドを配置したホログラム記録装置であって、
上記ケースは上記ホログラム記録媒体を保持して回転自在とする回転機構を備えると共に、上記ケース外部において上記光学ヘッドを保持して上記ホログラム記録媒体の表面と平行な一方向に移動自在とする移動機構を備え、
上記ケースはその外面に光透過窓を有し、上記光学ヘッドは上記光透過窓を介して集積部が上記ホログラム記録媒体の表面と対向するよう配置されてなり、
上記光学ヘッドの集積部はページデータを構成する各ビットデータに対応するそれぞれの記録再生部を集積してなり、該記録再生部はビットデータの記録・再生に使用する物体光及び参照光を発光する発光部と、物体光を通過させ又は遮断する光スイッチと、上記ホログラム記録媒体に形成されたホログラムを通過した参照光を受光する受光部とを有し、
上記光スイッチにおける物体光の通過・遮断の違いから生じるホログラム形成の有無によりビットデータを記録し、光スイッチにおいて物体光を遮断し記録位置に参照光を照射して上記受光部における参照光の受光の有無によりビットデータを再生し、
上記各記録再生部においてそれぞれホログラム記録媒体にビットデータの記録・再生を行うことにより、上記集積部はホログラム記録媒体にページデータの記録・再生を行うことを特徴とするホログラム記録装置。
【発明の詳細な説明】
【０００１】
【発明の属する技術分野】
本発明はホログラム記録に使用する光学ヘッド及びこれを用いたホログラム記録装置に関し、より詳細には必要な光学部材を集積した小型の光学ヘッド及びこれを用いたホログラム記録装置に関する。
【０００２】
【従来の技術】
従来からコンピュータ等に用いられる記録装置としては、磁気や光によって情報を記録媒体に対して２次元的に記録し、再生するものが広く用いられている。
磁気を用いた記録装置としては、フロッピー（登録商標）ディスクやハードディスクなどが知られており、光を用いた記録装置としては、ＣＤやＤＶＤなどが知られている。これら記録装置は、大容量化の要求に応えるため、これまでに記録密度に関して著しい進歩を果たしてきたものである。そして、さらなる大容量化のための手段として、ホログラムの原理を用いた記録装置の開発が進められている。
【０００３】
ホログラム記録装置は、情報をページ単位で記録し、再生するもので、参照光と空間光変調器と呼ばれる電子マスクで符号化されたページ単位の情報を有する物体光の干渉により記録媒体に屈折率変化等のパターンとして記録する。このパターンがホログラムとなっており、情報を記録媒体から再生するには、参照光のみを記録媒体に入射させ、ホログラムのパターンで回折させ、記録された情報をＣＣＤ等で再生する。このように情報をページ単位で記録し、再生することにより、情報をランダムにアクセスし、取り出す速度を速くすることができることが、ホログラム記録装置の利点の一つである。
またこのホログラム記録装置は、情報を記録媒体に記録する際に、参照光の入射角度を変化させることによって、物体光と参照光の干渉状態を変化させ、これによって記録媒体上の同じ空間に情報を多重に書込むことが可能となり、記録容量の大容量化を図っている。このようなホログラム記憶装置については、例えば特許文献１に記載されている。
【０００４】
【特許文献１】
特開２００３−４３９０４号公報
【０００５】
【発明が解決しようとする課題】
このようなホログラム記録装置は、将来的に小型化が進むものと考えられる。
しかし、現在考案されているホログラム記録装置の光学系、特に物体光を符号化する空間光変調器や、記録媒体上に記録された情報を再生するＣＣＤなどは、ページデータの形成のためにある程度の大きさを必要とするので小型化に限度がある。
また、このようなホログラム記録装置の小型化に伴い、ホログラム記録装置をコンピュータに内蔵される固定ディスク等、着脱自在な一つの記録装置として使用することが考えられるが、現在のところ具体的に検討されるまでには至っていない。
【０００６】
本発明は以上の問題点を鑑みてなされたものであり、小型化、集積化が可能な光学ヘッド、及びこれを用いたホログラム記録装置を提供することを目的とする。
【０００７】
【課題を解決するための手段】
上記課題を解決するため本発明は、反射型のホログラム記録媒体に対してページデータの記録・再生を行う集積部を有する光学ヘッドであって、上記集積部はページデータを構成する各ビットデータに対応するそれぞれの記録再生部を集積してなり、該記録再生部はビットデータの記録・再生に使用する物体光及び参照光を発光する発光部と、物体光を通過させ又は遮断する光スイッチと、上記ホログラム記録媒体に形成されるホログラムを通過した参照光を受光する受光部とを有し、上記光スイッチにおける物体光の通過・遮断の違いから生じるホログラム形成の有無によりビットデータを記録し、光スイッチにおいて物体光を遮断し記録位置に参照光を照射して上記受光部における参照光の受光の有無によりビットデータを再生し、上記各記録再生部においてそれぞれホログラム記録媒体にビットデータの記録・再生を行うことにより、上記集積部はホログラム記録媒体にページデータの記録・再生を行うことを特徴として構成されている。
【０００８】
また本発明は、上記発光部は光を発光する発光体と、該発光体から発せられた光を物体光と参照光に分岐する光分岐部とからなることを特徴として構成されている。
【０００９】
また本発明は、上記記録再生部は上記発光部とホログラム記録媒体の間に参照光を任意の角度で回折可能なアクティブ回折格子を有することを特徴として構成されている。
【００１０】
また本発明は、上記光スイッチ及びアクティブ回折格子はそれぞれ物体光または参照光の出射面に物体光または参照光を所定の角度で回折させる回折部材を有することを特徴として構成されている。
【００１１】
また本発明は、反射型のホログラム記録媒体と、該ホログラム記録媒体に対してページデータの記録・再生を行う集積部を有する光学ヘッドとを閉鎖構造のケース内に収めたホログラム記録装置であって、上記ケースは上記ホログラム記録媒体を保持して回転自在とする回転機構を備えると共に、上記光学ヘッドを保持して上記ホログラム記録媒体の表面と平行な一方向に移動自在とする移動機構を備え、上記光学ヘッドの集積部はページデータを構成する各ビットデータに対応するそれぞれの記録再生部を集積してなり、該記録再生部はビットデータの記録・再生に使用する物体光及び参照光を発光する発光部と、物体光を通過させ又は遮断する光スイッチと、上記ホログラム記録媒体に形成されたホログラムを通過した参照光を受光する受光部とを有し、上記光スイッチにおける物体光の通過・遮断の違いから生じるホログラム形成の有無によりビットデータを記録し、光スイッチにおいて物体光を遮断し記録位置に参照光を照射して上記受光部における参照光の受光の有無によりビットデータを再生し、上記各記録再生部においてそれぞれホログラム記録媒体にビットデータの記録・再生を行うことにより、上記集積部はホログラム記録媒体にページデータの記録・再生を行うことを特徴として構成されている。
【００１２】
また本発明は、反射型のホログラム記録媒体を閉鎖構造のケース内に収めると共に、該ケース外面に上記ホログラム記録媒体に対してページデータの記録・再生を行う集積部を有する光学ヘッドを配置したホログラム記録装置であって、上記ケースは上記ホログラム記録媒体を保持して回転自在とする回転機構を備えると共に、上記ケース外部において上記光学ヘッドを保持して上記ホログラム記録媒体の表面と平行な一方向に移動自在とする移動機構を備え、上記ケースはその外面に光透過窓を有し、上記光学ヘッドは上記光透過窓を介して集積部が上記ホログラム記録媒体の表面と対向するよう配置されてなり、上記光学ヘッドの集積部はページデータを構成する各ビットデータに対応するそれぞれの記録再生部を集積してなり、該記録再生部はビットデータの記録・再生に使用する物体光及び参照光を発光する発光部と、物体光を通過させ又は遮断する光スイッチと、上記ホログラム記録媒体に形成されたホログラムを通過した参照光を受光する受光部とを有し、上記光スイッチにおける物体光の通過・遮断の違いから生じるホログラム形成の有無によりビットデータを記録し、光スイッチにおいて物体光を遮断し記録位置に参照光を照射して上記受光部における参照光の受光の有無によりビットデータを再生し、上記各記録再生部においてそれぞれホログラム記録媒体にビットデータの記録・再生を行うことにより、上記集積部はホログラム記録媒体にページデータの記録・再生を行うことを特徴として構成されている。
【００１３】
【発明の実施の形態】
以下、本発明の実施の形態について、図面を参照しつつ詳細に説明する。まず光学ヘッドについて説明する。図１は本発明の実施形態における光学ヘッドの概念図、図２は記録再生部周辺の拡大概念図、図３は記録再生部による第一層目のビットデータの記録を示す図、図４は記録再生部による第一層目のビットデータの再生を示す図、図５は記録再生部による第二層目のビットデータの記録を示す図である。
本実施形態における光学ヘッド１は、図１に示すように、反射面３ａを有する反射型のホログラム記録媒体（以下、記録媒体３と呼ぶ）にページデータを記録し、また再生するためのものであり、記録媒体３と対向する面に集積部２を有する。この集積部２には、記録媒体３に記録するページデータの各ビットデータに対応する記録再生部２ａが必要数だけ方形状に集積されている。つまり、１回に１メガビットのページデータを記録する光学ヘッド１の場合、この記録再生部２ａは１００万個集積されることになる。以下、この記録再生部２ａについて説明する。
【００１４】
記録再生部２ａは図２に示すように、ビットデータの記録・再生に使用する物体光Ｓ及び参照光Ｒを発光する発光部１０と、物体光Ｓ及び参照光Ｒをそれぞれ制御する物体光制御部２０及び参照光制御部３０と、記録媒体３において反射した参照光Ｒを受光する受光部４０とを有する。この発光部１０から発光される物体光Ｓと参照光Ｒが記録媒体３で干渉することによりホログラムが形成される。
発光部１０は、レーザ光を発光する発光体１１と、この発光体１１から発せられたレーザ光を物体光Ｓと参照光Ｒに分岐する光分岐部たる回折格子１２からなる。このこのように、一つの光源から発せられるレーザ光を分岐して物体光Ｓと参照光Ｒを作り出すことにより、物体光Ｓと参照光Ｒの間に波長や周波数のずれが生じず、記録媒体３で適切にホログラムが形成される。なお本実施形態においては、発光体１１にはその一面からレーザ光が発せられる面発光レーザを使用するものとする。
【００１５】
物体光制御部２０及び参照光制御部３０は発光部１０と記録媒体３の間に配置され、回折格子１２によって分岐された物体光Ｓ、参照光Ｒはそれぞれ物体光制御部２０、参照光制御部３０に入射する。
物体光制御部２０は、入射した物体光Ｓを通過、又は遮断する光スイッチ２１と、光スイッチ２１を通過した物体光Ｓを記録媒体３のホログラムを形成する位置に回折させる回折格子２２からなる。
また参照光制御部３０は、加えられた電圧に応じて入射した参照光Ｒを任意の角度で回折させるアクティブ回折格子３１と、アクティブ回折格子３１を通過した物体光Ｓを記録媒体３のホログラムを形成する位置に回折させる回折格子３２からなる。なお、本実施形態においては回折格子２２と回折格子３２は一つの部材からなる。これにより部品数が減り高集積化が可能となる。
【００１６】
また受光部４０は物体光制御部２０及び参照光制御部３０と略並列に設けられるものである。この受光部４０は、記録媒体３に形成されたホログラムを通過して記録媒体３の反射面３ａで反射した参照光Ｒを受光して光電変換を行い、ホログラムの有無からビットデータを再生するために使用される。なお本実施形態において、この受光部４０はフォトダイオードとする。
【００１７】
このように、記録媒体３へのページデータの記録・再生に、空間光変調器やＣＣＤ等ではなく、ビットデータに対応する記録再生部２ａを集積した集積部２を用いることにより、ホログラム記録に必要な光学系が略全て集まった記録再生部２ａは集積技術などにより高集積化が可能であることから、光学ヘッド１の小型化、薄型化が可能となり、これによってホログラム記録装置の小型化が可能となる。また、１つの記録再生部２ａが１つのビットデータに対応しているので、空間光変調器を使用するときのように部分的にビットデータが不鮮明になるなどの不具合も生じず、確実にページデータの記録・再生を行うことができる。
【００１８】
次に、このような記録再生部２ａによるビットデータの記録及び再生について説明する。まずビットデータの記録について説明する。なお、本実施形態ではホログラムが形成された状態をビット信号１、形成されていない状態をビット信号０としてビットデータを構成するものとする。但しこれとは逆に、ホログラムが形成された状態をビット信号０、形成されていない状態をビット信号１としてもよい。
記録媒体３にビット信号１の状態を記録する、つまりホログラムを形成するには、図３（Ａ）に示すように、まず発光部１０の発光体１１からレーザ光を出射し、回折格子１２で分岐させて物体光Ｓと参照光Ｒを作り出し、これらが物体光制御部２０と参照光制御部３０に入射する。
【００１９】
ホログラムを形成する場合には、物体光制御部２０の光スイッチ２１において入射した物体光Ｓをそのまま通過させる。そして通過した物体光Ｓは回折格子２２によって回折され、記録媒体３に対して所定の角度で入射する。
一方、参照光制御部３０においては、アクティブ回折格子３１は入射した参照光Ｒを加えられている電圧に応じた角度で回折させ、このアクティブ回折格子３１において回折した参照光Ｒは回折格子３２によってさらに回折され、記録媒体３に対して所定の角度で入射する。
このようにして記録媒体３に所定角度で入射した物体光Ｓと参照光Ｒが干渉することにより、記録媒体３にホログラムＨ１が形成される。これにより記録媒体３にビット信号１の状態が記録される。
【００２０】
これとは逆に、記録媒体３にビット信号０の状態を記録する、つまりホログラムを形成しない場合は、図３（Ｂ）に示すように、物体光制御部２０の光スイッチ２１において入射した物体光Ｓを遮断する。これによって記録媒体３で物体光Ｓと参照光Ｒが干渉することはなく、ホログラムは形成されず、記録媒体３にビット信号０の状態が記録される。
【００２１】
以上、ビットデータの記録について説明した。次に、記録媒体３に記録されたビットデータの再生、つまりホログラムＨ１の有無の判別について説明する。
ビットデータを再生するには、図４（Ａ）に示すように、ビットデータを記録する場合と同様、まず発光部１０の発光体１１からレーザ光を出射し、回折格子１２で分岐させて物体光Ｓと参照光Ｒを作り出し、これらが物体光制御部２０と参照光制御部３０に入射する。
【００２２】
ホログラムＨ１の有無の判別する場合には、物体光制御部２０の光スイッチ２１において物体光Ｓを遮断する。これにより物体光Ｓは記録媒体３に入射しないこととなる。
一方、参照光制御部３０においては、アクティブ回折格子３１で入射した参照光ＲをホログラムＨ１を形成したときと同じ角度で回折させ、このアクティブ回折格子３１において回折した参照光Ｒは回折格子３２によってさらに回折され、記録媒体３に対してホログラムＨ１を形成したときと同じ角度で入射する。
【００２３】
ホログラムＨ１を形成したときと同じ角度で記録媒体３に入射した参照光Ｒは、図４（Ａ）に示すように記録媒体３にホログラムＨ１が形成されている場合には、ホログラムＨ１によって回折し、回折した参照光Ｒが記録媒体３の反射ミラー３ａによって反射され、受光部４０に入射して光電変換が行われる。これによって、ホログラムＨ１が形成された状態と判別され、ビット信号１の状態が再生される。
一方、図４（Ｂ）に示すように記録媒体３にホログラムＨ１が形成されていない場合には、参照光Ｒはそのまま直進して反射ミラー３ａで反射され、受光部４０に入射せず光電変換が行われることもない。これによってホログラムＨ１が形成されていない状態と判別され、ビット信号０の状態が再生される。
【００２４】
以上、記録再生部２ａによるビットデータの記録及び再生について説明した。
このような記録及び再生を集積部２の全ての記録再生部２ａ、２ａで行うことにより、集積部２はページデータの記録及び再生を行う。
ここで、ホログラム記録装置の特徴の一つとして、記録媒体３の同一空間に多重に情報を記録でき、これにより記録容量の大幅な増加を図っていることが挙げられる。以下、本発明の光学ヘッド１によるこのような情報の多重化について説明する。
【００２５】
記録再生部２ａにおいてビットデータを多重に記録する、つまりホログラムを多重に形成するには、図５に示すように、まず発光部１０の発光体１１からレーザ光を出射し、回折格子１２で分岐させて物体光Ｓと参照光Ｒを作り出し、これらが物体光制御部２０と参照光制御部３０に入射する。
ここで、物体光制御部２０においては１層目のホログラムＨ１を形成した場合と同様に、光スイッチ２１において物体光Ｓをそのまま通過させ、通過した物体光Ｓを回折格子２２によって回折させ、記録媒体３に対して所定の角度で入射させる。
一方、参照光制御部３０においては、アクティブ回折格子３１に加える電圧を変化させ、これにより参照光Ｒに対する回折角を変化させて、この変化した回折角で参照光Ｒを回折させ、このアクティブ回折格子３１において回折した参照光Ｒを回折格子３２によってさらに回折させ、記録媒体３に対して１層目のホログラムＨ１を形成したときとは異なる角度で入射させる。
このように、記録媒体３に対する参照光Ｒの入射角度が異なることから、１層目のホログラムＨ１の場合とは物体光Ｓと参照光Ｒの干渉状態が異なり、１層目とは異なるホログラムＨ２が記録媒体３に形成される。これにより記録媒体３にホログラムが多重に形成され、ビットデータが多重に記録される。
【００２６】
このような多重化を集積部２の全ての記録再生部２ａ、２ａにおいて行うことにより、記録媒体３にページデータを多重に記録することが可能となる。３層目以降も同様にして記録することができる。
なお、このような多重化された２層目のビットデータの再生は、１層目のビットデータの場合と同様、ビットデータを記録したときと同じ入射角の参照光Ｒを記録媒体３に入射させることにより、２層目のホログラムＨ２の有無によって、ビット信号１または０の状態が再生される。
【００２７】
以上、本発明の実施形態における光学ヘッド１について説明した。次に、このような光学ヘッド１を用いたホログラム記録装置について説明する。図６は本発明の実施形態におけるホログラム記録装置の断面図である。
本実施形態におけるホログラム記録装置４は図６に示すように、密閉状のケース６０内に反射型の記録媒体３と、この記録媒体３にページデータの記録・再生を行う光学ヘッド１が収められている。
【００２８】
ここで、記録媒体３は円盤状に形成されており、ケース６０の下面に備え付けられた回転機構たるモータ５１によって保持されている。記録媒体３はこのモータ５１の回転軸５１ａによって軸支され、回転自在となっている。またこのモータ５１にはケース６０外部からモータ５１の回転の制御信号を受信するための電気信号線５３が接続されている。この電気信号線５３はケース６０に備え付けられたコネクタ５５に直結されている。
【００２９】
一方、光学ヘッド１は上述した通りの構成であり、集積部２が記録媒体３と対向するように配置される。この光学ヘッド１はケース６０上面に備え付けられた移動機構たるリニアアクチュエータ５２によって保持され、このリニアアクチュエータ５２によって記録媒体３の表面に平行な一方向に移動可能とする。本実施形態においては、この光学ヘッド１の移動は、記録媒体３の回転中心から周縁部までとする。また光学ヘッド１には、ケース７０外部から記録媒体３に記録する情報を受信し、また記録媒体３から再生した情報を送信し、さらにリニアアクチュエータ５２の制御信号を受信するための電気信号線５４が備え付けられており、この電気信号線５４はコネクタ５５に直結されている。
【００３０】
このように、集積化した光学ヘッド１を用いることにより、ホログラム記録装置４を小型化、薄型化することが可能となり、ホログラム記録装置４をコンピュータに内蔵する固定ディスク等、全体として着脱自在な一つの記録装置として使用することが可能となる。また、記録媒体３をモータ５１によって回転可能とし、光学ヘッド１を記録媒体３の回転中心から周縁部まで移動可能としたことから、記録媒体３の回転と光学ヘッド１の平行移動により記録媒体３の所定位置に光学ヘッド１を素早く移動させることができ、素早くページデータを記録し、また再生することができる。
さらに、記録媒体３はその記録材料にフォトポリマー等の紫外線の影響を受けやすい材料が用いられていることから、このように密閉状のケース６０内に収納することにより紫外線を遮断し、記録した情報の安定を図ることができる。
【００３１】
以上、本発明の実施形態におけるホログラム記録装置４について説明した。上記実施形態では、光学ヘッド１をケース６０内に収納したが、図７に示すように光学ヘッド１をケース６０の外部に配置するようにしてもよい。この場合はケース６０外面の一部に光透過窓６１を形成し、光学ヘッド１をこの光透過窓６１を介して集積部２が記録媒体３の表面と対向するように配置し、情報の記録・再生を行う。なお、この光透過窓６１は物体光Ｓ及び参照光Ｒのみが透過可能なバンドパスフィルタ機能を有するものとし、これにより外部からの紫外線が記録媒体３に入射することもない。
【００３２】
【発明の効果】
以上本発明によれば、記録再生部は発光部と、光スイッチと、受光部とを有し、光スイッチにおける物体光の通過・遮断の違いから生じるホログラム形成の有無によりビットデータを記録し、記録位置に参照光を照射して上記受光部における参照光の受光の有無によりビットデータを再生し、各記録再生部においてそれぞれホログラム記録媒体にビットデータの記録・再生を行うことにより、集積部はホログラム記録媒体にページデータの記録・再生を行うことから、ホログラム記録に必要な光学系が略全て集まった記録再生部を集積技術などにより高集積化することが可能となり、光学ヘッドを小型化、薄型化することが可能となる。また、１つの記録再生部が１つのビットデータに対応しているので、空間光変調器を使用するときのように部分的にビットデータが不鮮明になるなどの不具合も生じず、確実にページデータの記録・再生を行うことができる。
【００３３】
また本発明によれば、発光部は光を発光する発光体と、この発光体から発せられた光を物体光と参照光に分岐する光分岐部とからなることから、物体光と参照光の間に波長や周波数のずれが生じず、ホログラム記録媒体に適切にホログラムが形成される。
【００３４】
また本発明によれば、記録再生部は発光部とホログラム記録媒体の間に参照光を任意の角度で回折可能なアクティブ回折格子を有することから、参照光のホログラム記録媒体への入射角を変化させることができ、物体光との干渉状態を変化させてホログラムを多重して形成することが可能となる。
【００３５】
また本発明によれば、光スイッチ及びアクティブ回折格子はそれぞれ物体光または参照光の出射面に物体光または参照光を所定の角度で回折させる回折部材を有することから、記録再生部の構成を簡素にすることができる。
【００３６】
また本発明によれば、ホログラム記録装置は反射型のホログラム記録媒体と、このホログラム記録媒体に対してページデータの記録・再生を行う集積部を有する光学ヘッドとを閉鎖構造のケース内に収めたことから、ホログラム記録装置を小型化、薄型化することが可能となり、ホログラム記録装置をコンピュータに内蔵する固定ディスク等、全体として着脱自在な一つの記録装置として使用することが可能となる。
また、ケースはホログラム記録媒体を保持して回転自在とする回転機構を備えると共に、光学ヘッドを保持してホログラム記録媒体の表面と平行な一方向に移動自在とする移動機構を備えることから、両移動によりホログラム記録媒体の所定位置に光学ヘッドを素早く移動させることができ、素早くページデータを記録し、また再生することができる。
さらに、ホログラム記録媒体はその記録材料にフォトポリマー等の紫外線の影響を受けやすい材料が用いられていることから、このように密閉状のケース内に収納することにより紫外線を遮断し、記録した情報の安定を図ることができる。
【００３７】
また本発明によれば、ホログラム記録装置は反射型のホログラム記録媒体を閉鎖構造のケース内に収めると共に、このケース外面に上記ホログラム記録媒体に対してページデータの記録・再生を行う集積部を有する光学ヘッドを配置したことから、ホログラム記録装置、特にケースを小型化、薄型化することが可能となる。
【図面の簡単な説明】
【図１】本発明の実施形態における光学ヘッドの概念図である。
【図２】記録再生部周辺の拡大概念図である。
【図３】記録再生部による第一層目のビットデータの記録を示す図である。
【図４】記録再生部による第一層目のビットデータの再生を示す図である。
【図５】記録再生部による第二層目のビットデータの記録を示す図である。
【図６】本発明の実施形態におけるホログラム記録装置の断面図である。
【図７】他の実施形態におけるホログラム記録装置の断面図である。
【符号の説明】
１      光学ヘッド
２      集積部
２ａ    記録再生部
３      記録媒体
３ａ    反射面
４      ホログラム記録装置
１０      発光部
１１      発光体
１２      回折格子
２０      物体光制御部
２１      光スイッチ
２２      回折格子
３０      参照光制御部
３１      アクティブ回折格子
３２      回折格子
４０      受光部
５１      回転機構
５２      リニアアクチュエータ
６０      ケース
６１      光透過窓
Ｓ      物体光
Ｒ      参照光
Ｈ１、Ｈ２  ホログラム
【図１】
2005018879.tif 000003
【図２】
2005018879.tif 000004
【図３】
2005018879.tif 000005
【図４】
2005018879.tif 000006
【図５】
2005018879.tif 000007
【図６】
2005018879.tif 000008
【図７】
2005018879.tif 000009